(57)【要約】【課題】例えば、比較的容易に導電部材の他部材への接続が可能な新規な構成の組電池を得る。【解決手段】実施形態の組電池は、複数の電池セルと、回路基板と、導電部材と、弾性部と、を備えた。電池セルは、電極端子を有した。導電部材は、電極端子と接触した複数の接触部を有し、回路基板に設けられ、複数の電池セルの電極端子を電気的に接続した。弾性部は、弾性力によって接触部と電極端子との一方を他方に押し付けた。【選択図】図５
2018026215.tif 000002
【特許請求の範囲】
【請求項１】
電極端子を有した複数の電池セルと、
回路基板と、
前記電極端子と接触した複数の接触部を有し、前記回路基板に設けられ、複数の前記電池セルの前記電極端子を電気的に接続した導電部材と、
弾性力によって前記接触部と前記電極端子との一方を他方に押し付けた弾性部と、
を備えた組電池。
【請求項２】
電極端子を有した複数の電池セルと、
導電部が設けられた回路基板と、
前記電極端子と接触した複数の接触部を有し、複数の前記電池セルの前記電極端子を電気的に接続した導電部材と、
弾性力によって前記接触部と前記導電部との一方を他方に押し付けた弾性部と、
を備えた組電池。
【請求項３】
前記導電部材は、複数の前記電池セルの前記電極端子を電気的に接続した端子接続部と、前記端子接続部から前記導電部に向けて延びた延出部を有し、
前記接触部と前記弾性部とは、前記延出部に含まれた、請求項２に記載の組電池。
【請求項４】
前記接触部を挟んだ複数の前記弾性部が設けられた、請求項２または３に記載の組電池。
【請求項５】
前記電極端子と前記導電部材とは、嵌め合わされた、請求項２〜４のうちいずれか一つに記載の組電池。
【請求項６】
前記導電部材は、互いに離れて位置され前記電極端子と電気的に接続された二つの第一の部分と、前記二つの第一の部分の間に介在し前記導電部に向けて突出した第二の部分と、を有し、
前記接触部と前記弾性部とは、前記第二の部分に含まれた、請求項２〜５のうちいずれか一つに記載の組電池。
【請求項７】
前記導電部は、前記弾性部を有した、請求項１〜６のいずれか一つに記載の組電池。
【請求項８】
前記導電部材が設けられた複数の前記回路基板を備えた、請求項１〜７のいずれか一つに記載の組電池。
【請求項９】
前記回路基板と、前記回路基板に設けられた前記導電部材によって電気的に接続された複数の前記電池セルと、を有した複数の電池ユニット部を備えた請求項１〜８のいずれか一つに記載の組電池。
【請求項１０】
第一の方向に開口し複数の前記電池セルを収容した第一の開口部、が設けられた収容部材と、前記回路基板を支持し、前記第一の開口部を覆った状態で前記収容部材と結合された第一の覆部材と、を有した筐体を備え、
前記弾性部は、前記第一の方向と交差する方向に、前記一方を前記他方に押し付けた、請求項１〜９のいずれか一つに記載の組電池。
【請求項１１】
第一の方向に開口し複数の前記電池セルを収容した第一の開口部、が設けられた収容部材と、前記第一の方向に開口し前記導電部材を収容した第二の開口部が設けられ、前記第一の開口部を覆った状態で前記収容部材と結合された第一の覆部材と、前記第二の開口部を覆った状態で前記第一の覆部材と結合された第二の覆部材と、を有した筐体を備え、
前記回路基板は、前記第一の覆部材に支持された、請求項１〜９のいずれか一つに記載の組電池。
【発明の詳細な説明】
【技術分野】
【０００１】
本発明の実施形態は、組電池に関する。
【背景技術】
【０００２】
従来、複数の電池セルの電極端子同士を導電部材で接続した組電池が知られている。
【先行技術文献】
【特許文献】
【０００３】
【特許文献１】特開２０１４−１７９１７９号公報
【発明の概要】
【発明が解決しようとする課題】
【０００４】
この種の組電池では、例えば、比較的容易に導電部材の他部材への接続が可能な新規な構成が得られれば、有意義である。
【課題を解決するための手段】
【０００５】
実施形態の組電池は、複数の電池セルと、回路基板と、導電部材と、弾性部と、を備えた。前記電池セルは、電極端子を有した。前記導電部材は、前記電極端子と接触した複数の接触部を有し、前記回路基板に設けられ、複数の前記電池セルの前記電極端子を電気的に接続した。前記弾性部は、弾性力によって前記接触部と前記電極端子との一方を他方に押し付けた。
【図面の簡単な説明】
【０００６】
【図１】図１は、第１の実施形態の組電池の模式的かつ例示的な正面図である。
【図２】図２は、第１の実施形態の組電池の模式的かつ例示的な分解斜視図である。
【図３】図３は、第１の実施形態の組電池の模式的かつ例示的な平面図であって、蓋部材が外された状態を示す図である。
【図４】図４は、図３のIV-IV断面図である。
【図５】図５は、図４のV部を示す図である。
【図６】図６は、第２の実施形態の組電池の模式的かつ例示的な平面図であって、蓋部材が外された状態を示す図である。
【図７】図７は、第３の実施形態の組電池の模式的かつ例示的な断面図である。
【図８】図８は、第３の実施形態の組電池の分解斜視図である。
【図９】図９は、第３の実施形態の組電池の平面図であって、蓋部材が取り外された状態を示す図である。
【図１０】図１０は、図７のX部を示す図である。
【図１１】図１１は、図８のXI部を示す図である。
【図１２】図１２は、図９のXII-XII断面図である。
【図１３】図１３は、図１２のXIII部を示す図である。
【図１４】図１４は、第４の実施形態の組電池の模式的かつ例示的な正面図である。
【図１５】図１５は、第４の実施形態の組電池の模式的かつ例示的な分解斜視図である。
【図１６】図１６は、第４の実施形態の組電池の模式的かつ例示的な平面図であって、蓋部材が取り外された状態を示す図である。
【図１７】図１７は、図１６のXVII-XVII断面図である。
【図１８】図１８は、図１７のXVIII部を示す図である。
【図１９】図１９は、図１６のXIX-XIX断面図である。
【図２０】図２０は、図１９のXX部を示す図である。
【図２１】図２１は、第５の実施形態の組電池の模式的かつ例示的な斜視図である。
【図２２】図２２は、第５の実施形態の組電池の模式的かつ例示的な平面図である。
【図２３】図２３は、図２２のXXIII-XXIII断面図である。
【図２４】図２４は、第５の実施形態の組電池の模式的かつ例示的な分解斜視図である。
【図２５】図２５は、図２３のXXV部を示す図である。
【図２６】図２６は、第６の実施形態の組電池の模式的かつ例示的な斜視図である。
【図２７】図２７は、第６の実施形態の組電池の模式的かつ例示的な平面図である。
【図２８】図２８は、図２７のXXVIII-XXVIII断面図である。
【図２９】図２９は、図２８のXXIX部を示す図である。
【図３０】図３０は、第７の実施形態の組電池の模式的かつ例示的な斜視図である。
【図３１】図３１は、第７の実施形態の組電池の模式的かつ例示的な平面図である。
【図３２】図３２は、図３１のXXXII-XXXII断面図である。
【図３３】図３３は、図３２のXXXIII部を示す図である。
【図３４】図３４は、第８の実施形態の組電池の模式的かつ例示的な平面図である。
【図３５】図３５は、図３４のXXXV-XXXV断面図である。
【図３６】図３６は、第８の実施形態の組電池の模式的かつ例示的な分解斜視図である。
【図３７】図３７は、図３５のXXXVII部を示す図である。
【図３８】図３８は、第９の実施形態の組電池の模式的かつ例示的な斜視図である。
【図３９】図３９は、第９の実施形態の組電池の模式的かつ例示的な平面図である。
【図４０】図４０は、図３９のXL-XL断面図である。
【図４１】図４１は、図４０のXLI部を示す図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向（ｘ方向、ｙ方向、ｚ方向）が規定されている。ｘ方向、ｙ方向、およびｚ方向は、互いに直交している。
【０００９】
＜第１の実施形態＞
図１，２に示されるように、組電池１は、例えば、筐体１１と、複数の電池セル１２と、複数の導電部材１３と、複数の回路基板１７と、を備えている。電池セル１２、導電部材１３、および回路基板１７は、筐体１１に収容されている。複数の電池セル１２は、複数の導電部材１３によって互いに電気的に接続されている。複数の電池セル１２の電力、すなわち組電池１の電力は、コネクタ（不図示）から出力可能となっている。
【００１０】
組電池１は、種々の装置や、機械、設備等に設置され、それら種々の装置や、機械、設備の電源として使用される。例えば、組電池１は、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される組電池１を、直列あるいは並列に接続したセットとして搭載することもできる。なお、組電池１に含まれる電池セル１２の数や配置等は、本実施形態で開示されるものには限定されない。組電池１は、電池モジュールや電池装置等とも称される。また、筐体１１は、ケースや容器等とも称される。また、電池セル１２は、単電池や電池等とも称される。
【００１１】
電池セル１２は、例えば、リチウムイオン二次電池として構成されている。なお、電池セル１２は、ニッケル水素電池や、ニッケルカドミウム電池、鉛蓄電池等、他の電池であってもよい。
【００１２】
図２〜４に示されるように、電池セル１２は、例えば、ｘ方向に薄い偏平な直方体状に構成されている。電池セル１２は、筐体２１と、筐体２１に支持された一対の電極端子２２と、弁部２４と、を有している。一対の電極端子２２は、正極端子２２Ａおよび負極端子２２Ｂである。筐体２１内には、不図示の電極体および電解液が収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正極端子２２Ａおよび負極端子２２Ｂがそれぞれ接続されている。
【００１３】
筐体２１は、例えば、収容部材２１ａと蓋体２１ｂとが組み合わせられて構成されている。収容部材２１ａは、上部が開放された略直方体の箱型に形成されている。この収容部材２１ａに電極体および電解液が収容されている。蓋体２１ｂは、ｙ方向に長い長方形状の板状に形成され、収容部材２１ａの開放された上部を塞いでいる。筐体２１は、金属材料（例えば、アルミニウムや、アルミニウム合金、ステンレス等）や合成樹脂材料等で構成されている。筐体２１は、ケースや容器、セル筐体等とも称される。
【００１４】
正極端子２２Ａおよび負極端子２２Ｂは、蓋体２１ｂに設けられて、蓋体２１ｂの外面から突出している。正極端子２２Ａと負極端子２２Ｂとは、蓋体２１ｂの長手方向、すなわちｙ方向に互いに間隔をあけて配置されている。正極端子２２Ａと負極端子２２Ｂとは、それぞれ導電性材料によって構成されている。
【００１５】
図２，５に示されるように、各電極端子２２は、端面２２ａと、嵌合部２２ｂと、を有している。端面２２ａは、筐体２１の外側に位置され、ｘｙ平面に延びている。嵌合部２２ｂは、端面２２ａから筐体２１の内側へ向かって凹んだ形状に形成されている。図５に示されるように、嵌合部２２ｂには、開口部２２ｃと、筒面２２ｄと、が設けられている。開口部２２ｃは、端面２２ａに開口し端面２２ａから筐体２１の内側へ向かって凹んだ凹部である。また、筒面２２ｄは、端面２２ａから筐体２１の内側へ向かって延びている。すなわち、筒面２２ｄの内側に開口部２２ｃが設けられている。
【００１６】
図２に示されるように、弁部２４は、蓋体２１ｂにおいて正極端子２２Ａと負極端子２２Ｂとの間に設けられている。弁部２４は、筐体２１内の圧力が閾値よりも高くなった場合に開放され、当該筐体２１内の圧力を低下させる。
【００１７】
図２〜４に示されるように、複数の電池セル１２は、筐体１１内において、例えば、一列に並べられている。複数の電池セル１２は、蓋体２１ｂの外面が同じ方向（一例として、ｚ方向）に向くように配置されているとともに、蓋体２１ｂの短手方向が同じ方向（一例として、ｘ方向）に沿うように配置されている。これにより、ｘ方向に一例に並べられた複数の電極端子２２によって構成された端子群２５（図２参照）が、ｙ方向に互いに間隔を空けて二列設けられている。複数の電池セル１２は、複数の導電部材１３によって電気的に直列に接続されている。なお、複数の導電部材１３は、電気的に並列に接続されていてもよい。
【００１８】
図１，２に示されるように、筐体１１は、例えば、ｘ方向に長い直方体状の外観を呈している。筐体１１は、底壁部１１ａ、端壁部１１ｂ，１１ｃ、側壁部１１ｄ，１１ｅ、および天壁部１１ｆ等の複数の壁部（壁）を有している。
【００１９】
底壁部１１ａは、ｘ方向に長い長方形状（四角形状）の板状に形成されている。底壁部１１ａは、ｘｙ平面に沿って延びている。底壁部１１ａの外面は、平面状に構成されている。
【００２０】
端壁部１１ｂ，１１ｃは、ｙ方向に長い長方形状（四角形状）の板状に形成され、底壁部１１ａの長手方向、すなわちｘ方向の両端部に接続されている。また、端壁部１１ｂ，１１ｃは、底壁部１１ａと交差する方向（一例として直交する方向、ｙｚ平面）に沿って延びている。端壁部１１ｂ，１１ｃは、ｘ方向に間隔を空けて互いに略平行に設けられている。
【００２１】
側壁部１１ｄ，１１ｅは、ｘ方向に長い長方形状（四角形状）の板状に形成され、底壁部１１ａの短手方向、すなわちｙ方向の両端部に接続されている。また、側壁部１１ｄ，１１ｅは、底壁部１１ａと交差する方向（一例として直交する方向、ｘｚ平面）に沿って延びている。側壁部１１ｄ，１１ｅは、ｙ方向に間隔を空けて互いに略平行に設けられている。また、側壁部１１ｄ，１１ｅは、隣接する端壁部１１ｂ，１１ｃと接続されている。
【００２２】
天壁部１１ｆは、底壁部１１ａに沿って延びた長方形状（四角形状）の板状に形成されている。天壁部１１ｆは、端壁部１１ｂ，１１ｃおよび側壁部１１ｄ，１１ｅの、底壁部１１ａとは反対側の端部に接続されている。天壁部１１ｆは、底壁部１１ａの厚さ方向、すなわちｚ方向に底壁部１１ａと間隔を空けて設けられている。天壁部１１ｆは、底壁部１１ａと略平行に延びている。
【００２３】
筐体１１の内部には、底壁部１１ａ、端壁部１１ｂ，１１ｃ、側壁部１１ｄ，１１ｅ、および天壁部１１ｆによって囲まれた収容室１１ｉ（図２参照）が設けられている。収容室１１ｉは、ｘ方向に開口し、複数の電池セル１２を収容している。ｘ方向は、第一の方向の一例である。
【００２４】
筐体１１は、金属材料によって構成されていてもよいし、絶縁性を有した合成樹脂材料によって構成されていてもよい。筐体１１が金属材料によって構成される場合、筐体１１の表面に絶縁層が設けられうる。また、筐体１１の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００２５】
また、図２等に示されるように、筐体１１は、複数の部材、具体的には、収容部材４１および蓋部材４３の組み合わせとして構成されている。蓋部材４３は、収容部材４１のｚ方向の端部に重ねられて収容部材４１と結合されている。収容部材４１と蓋部材４３とは、例えば、不図示の引掛部によって機械的に結合されている。収容室１１ｉは、収容部材４１および蓋部材４３に囲まれている。収容部材４１は、下ケース等とも称され、蓋部材４３は、上ケースやトップカバー等とも称される。
【００２６】
収容部材４１は、底壁部１１ａと、端壁部１１ｂ，１１ｃの一部と、側壁部１１ｄ，１１ｅの一部と、を有している。収容部材４１には、底壁部１１ａと、端壁部４１ｂ，４１ｃと、側壁部４１ｄ，４１ｅと、に囲まれた開口部４１ｆ（凹部、空間）が設けられている。開口部４１ｆは、ｘ方向に開口し、複数の電池セル１２を収容している。開口部４１ｆは、収容室１１ｉの少なくとも一部（一例として、一部）を構成している。開口部４１ｆは、第一の開口部の一例である。
【００２７】
蓋部材４３は、天壁部１１ｆと、端壁部１１ｂ，１１ｃの一部と、側壁部１１ｄ，１１ｅの一部と、を有している。蓋部材４３は、収容部材４１の開口部４１ｆを覆っている。
【００２８】
図２，３等に示される回路基板１７は、例えば、プリント回路板（ＰＣＢ）である。回路基板１７の一方の面である実装面１７ａには、配線パターンが設けられるとともに、複数の電子部品４５が実装されている。電子部品４５は、導電部材１３等に電気的に接続されている。電子部品４５は、例えば、導電部材１３の温度を検出するサーミスタである。なお、電子部品４５は、電池セル１２の電圧を測定するものであってもよい。また、電子部品４５は、導電部材１３の温度を測定する機能と電池セル１２の電圧を測定する機能との両方を有するものであってもよい。電子部品４５は、検出部とも称される。
【００２９】
回路基板１７は、各端子群２５ごとに設けられている。回路基板１７は、端子群（ｘ方向）に沿って延びている。二つの回路基板１７は、ｙ方向に互いに間隔を空けて位置されている。回路基板１７は、電極端子２２の端面２２ａ側に配置され、電極端子２２の端面２２ａに面している。実装面１７ａは、回路基板１７の電極端子２２とは反対側に設けられている。また、回路基板１７には、複数の開口部１７ｂ（図５参照）が設けられている。開口部１７ｂは、例えば、貫通孔であり、回路基板１７の板厚方向（ｚ方向）に回路基板１７を貫通している。なお、開口部１７ｂは、切欠であってもよい。
【００３０】
また、各回路基板１７には、複数の導電部材１３が設けられている。例えば、本実施形態では、一方の回路基板１７には、三つの導電部材１３が設けられ、他方の回路基板１７には、二つの導電部材１３が設けられている。なお、導電部材１３の個数は、上記に限られない。
【００３１】
図５に示されるように、導電部材１３は、ベース部１３ａと、一対の延出部１３ｂと、を有している。導電部材１３は、端子群２５中でｘ方向に隣り合う二つの電極端子２２を電気的に接続している。導電部材１３は、例えば、アルミニウム等の導電性材料によって構成されている。導電部材１３は、バスバーや、接続部材、結合部材等とも称される。延出部１３ｂは、嵌合部や端子部とも称される。
【００３２】
ベース部１３ａは、ｘ方向に長い長方形状（四角形状）に形成されている。ベース部１３ａは、ｘｙ平面に沿って延びている。ベース部１３ａは、回路基板１７の実装面１７ａに固定（実装）されている。
【００３３】
一対の延出部１３ｂの一方は、端子群２５中でｘ方向に隣り合う二つの電極端子２２の一方と接続され、一対の延出部１３ｂの他方は、当該二つの電極端子２２の他方と接続されている。
【００３４】
一対の延出部１３ｂは、ｘ方向に互いに間隔を空けて設けられている。各延出部１３ｂは、ベース部１３ａから電極端子２２に向かって延びている。詳細には、延出部１３ｂは、ベース部１３ａから電極端子２２に向かって延びた複数の弾性部１３ｃを有している。複数の弾性部１３ｃは、ｚ方向に沿った中心軸回りに互いに間隔を空けて並べられている。延出部１３ｂでは、複数の弾性部１３ｃが、回路基板１７の開口部１７ｂを貫通した状態で、電極端子２２の開口部２２ｃに入れられて、電極端子２２の筒面２２ｄと接触している。弾性部１３ｃは、当該弾性部１３ｃの弾性力によって、当該弾性部１３ｃを筒面２２ｄに押し付けている。弾性部１３ｃは、ｘ方向（第一の方向）と交差する方向（ｘｙ平面に沿った方向）に、弾性部１３ｃを筒面２２ｄに押し付けている。各弾性部１３ｃは、板ばねとして機能する。弾性部１３ｃの弾性力によって、延出部１３ｂと筒面２２ｄとの嵌め合い状態が維持され、延出部１３ｂと電極端子２２との電気的な接続が維持される。弾性部１３ｃは、接触部の一例である。すなわち、本実施形態では、弾性部１３ｃは、接触部を兼ねている。別の言い方をすると、接触部は、弾性部１３ｃを兼ねている。
【００３５】
上記構成の導電部材１３の電極端子２２への取り付けは、回路基板１７を電極端子２２に向けて移動させながら、延出部１３ｂを電極端子２２の嵌合部２２ｂに挿入させることにより行われる。この際、本実施形態では、一つの回路基板１７に複数の導電部材１３が設けられているので、これら複数の導電部材１３を一つの取付工程で、電極端子２２に取り付けることができる。
【００３６】
また、複数の電池セル１２と、これら複数の電池セル１２を接続した複数の導電部材１３と、これら複数の導電部材１３が設けられた複数の回路基板１７とは、電池ユニット部５０を構成している。すなわち、本実施形態では、一つの電池ユニット部５０が筐体１１に収容されている。
【００３７】
以上のように、本実施形態では、導電部材１３は、電極端子２２と接触した複数の弾性部１３ｃ（接触部）を有し、回路基板１７に設けられ、複数の電池セル１２の電極端子２２を電気的に接続している。弾性部１３ｃは、弾性力によって弾性部１３ｃと電極端子２２との一方（一例として、弾性部１３ｃ）を他方（一例として、電極端子２２）に押し付けている。よって、本実施形態によれば、例えば、電極端子２２と導電部材１３とを、溶接したりねじ止めしたりする必要がないので、比較的容易に導電部材１３を他部材としての電極端子２２に接続することができる。
【００３８】
なお、電極端子２２に弾性部が設けられ、この弾性部が、弾性力によって当該弾性部を導電部材１３に押し付ける構成であってもよい。
【００３９】
＜第２の実施形態＞
図６に示される本実施形態の組電池２０１は、第１の実施形態の組電池１と同様の構成を備えている。よって、本実施形態によっても、第１の実施形態と同様の構成に基づく同様の結果（効果）が得られる。ただし、本実施形態では、複数（一例として、二つ）の電池ユニット部５０が設けられている点が、第１の実施形態と主に相違している。すなわち、組電池２０１は、複数の回路基板１７と、複数の回路基板１７に設けられた導電部材１３によって電気的に接続された複数の電池セル１２と、を有した複数の電池ユニット部５０を備えている。複数の電池ユニット部５０は、一つの筐体１１に収容されて、不図示の導電部材によって互いに電気的に直列に接続されている。なお、複数の電池ユニット部５０は、電気的に並列に接続されていてもよい。
【００４０】
＜第３の実施形態＞
図７〜１３に示される本実施形態の組電池３０１は、第１の実施形態の組電池１と同様の構成を備えている。よって、本実施形態によっても、第１の実施形態と同様の構成に基づく同様の結果（効果）が得られる。ただし、本実施形態では、回路基板１７と、導電部材１３とが、第１の実施形態と主に異なる。
【００４１】
図７，１０に示されるように、本実施形態の回路基板１７は、蓋部材４３に支持されている。詳細には、蓋部材４３の天壁部１１ｆの内面には、支持部１１ｆａが設けられている。図１０に示されるように、支持部１１ｆａは、天壁部１１ｆの内面から底壁部１１ａに向けて延びた延出部１１ｆｂと、延出部１１ｆｂの先端部に設けられた爪部１１ｆｃと、を有している。爪部１１ｆｃは、回路基板１７に設けられた開口部１７ｃ（貫通孔）を貫通した状態で、回路基板１７の実装面１７ａとは反対側の面を支持している。支持部１１ｆａは、爪部１１ｆｃと延出部１１ｆｂとによって回路基板１７を挟んだ状態で、回路基板１７を支持している。すなわち、支持部１１ｆａは、回路基板１７を天壁部１１ｆに結合している。蓋部材４３への回路基板１７の取り付けの際には、爪部１１ｆｃが、弾性変形しながら回路基板１７の開口部１７ｃに挿通される。
【００４２】
また、図８，９に示されるように、回路基板１７には、複数の嵌合部１７ｄが設けられている。図１１〜１３に示されるように、嵌合部１７ｄは、実装面１７ａからｚ方向に延びている。図１１に示されるように、嵌合部１７ｄは、ベース部１７ｄａと、一対の弾性部１７ｄｂと、一対の接続部１７ｄｃと、を有している。ベース部１７ｄａは、ｘｚ平面に延びた板状に形成されている。一対の弾性部１７ｄｂは、一対の接続部１７ｄｃを介して、ベース部１７ｄａのｘ方向に沿った方向の両端部に接続されている。一対の弾性部１７ｄｂは、ベース部１７ｄａとｙ方向に間隔を空けて設けられている。嵌合部１７ｄは、導電性材料によって構成されている。嵌合部１７ｄは、電子部品４５と電気的に接続されている。嵌合部１７ｄは、回路基板１７に設けられた導電部の一例である。
【００４３】
また、図８，１３に示されるように、導電部材１３は、ベース部１３ａと、延出部３１３ｂと、を有している。ベース部１３ａは、端子群２５中でｘ方向に隣り合う二つの電極端子２２と接続され、当該二つの電極端子２２を電気的に接続している。ベース部１３ａは、例えば、電極端子２２と溶接されている。延出部３１３ｂは、ｚ方向に延びた板状に形成されている。延出部３１３ｂは、ベース部１３ａからｚ方向に延びている。ベース部１３ａは、端子接続部の一例であり、延出部３１３ｂは、接触部の一例である。
【００４４】
図１３に示されるように、延出部３１３ｂは、回路基板１７の嵌合部１７ｄに嵌められている（入れられている）。延出部３１３ｂは、嵌合部１７ｄのベース部１７ｄａと一対の弾性部１７ｄｂとに接触した状態で、一対の弾性部１７ｄｂによって、ベース部１７ｄａに押し付けられている。弾性部１７ｄｂは、当該弾性部１７ｄｂの弾性力によって、延出部３１３ｂをベース部１７ｄａに押し付けている。弾性部１７ｄｂは、ｘ方向（第一の方向）と交差する方向（ｘｙ平面に沿った方向）に、延出部３１３ｂをベース部１７ｄａに押し付けている。また、弾性部１７ｄｂは、当該弾性部１７ｄｂの弾性力によって、当該弾性部１７ｄｂを延出部３１３ｂに押し付けているとも言える。弾性部１７ｄｂは、ｘ方向（第一の方向）と交差する方向（ｘｙ平面に沿った方向）に、弾性部１７ｄｂを延出部３１３ｂに押し付けている。各弾性部１７ｄｂは、板ばねとして機能する。弾性部１７ｄｂの弾性力によって、嵌合部１７ｄと延出部３１３ｂとの嵌め合い状態が維持され、嵌合部１７ｄと延出部３１３ｂとの電気的な接続が維持される。
【００４５】
本実施形態では、導電部材１３と電子部品４５とは、嵌合部１７ｄを介して電気的に接続されている。
【００４６】
以上のように、本実施形態の組電池３０１の筐体１１は、ｘ方向（第一の方向）に開口し複数の電池セル１２を収容した開口部４１ｆ（第一の開口部）、が設けられた収容部材４１と、回路基板１７を支持し、開口部４１ｆを覆った状態で収容部材４１と結合された蓋部材４３（第一の覆部材）と、を有している。そして、弾性部１７ｄｂは、ｘ方向（第一の方向）と交差する第二の方向に、延出部３１３ｂをベース部１７ｄａに押し付けている。
【００４７】
上記構成の組電池３０１の組み立ての際には、例えば、蓋部材４３をｚ方向の反対方向に移動させながら収容部材４１に取り付ける過程で、導電部材１３の延出部３１３ｂが回路基板１７の嵌合部１７ｄに挿入される。この結果、導電部材１３と電子部品４５とが、嵌合部１７ｄを介して電気的に接続される。よって、比較的容易に、導電部材１３と電子部品４５とを接続させることができる。
【００４８】
＜第４の実施形態＞
図１４〜２０に示される本実施形態の組電池４０１は、第１の実施形態の組電池１と同様の構成を備えている。よって、本実施形態によっても、第１の実施形態と同様の構成に基づく同様の結果（効果）が得られる。ただし、本実施形態では、筐体１１と、回路基板１７と、導電部材１３とが、第１の実施形態と主に異なる。
【００４９】
図１４，１５に示されるように、本実施形態の筐体１１は、収容部材４１、中間部材４２、および蓋部材４３の組み合わせとして構成されている。中間部材４２は、収容部材４１のｚ方向の端部に重ねられて収容部材４１と結合されている。また、蓋部材４３は、中間部材４２のｚ方向の端部に重ねられて中間部材４２と結合されている。収容部材４１は、下ケース等とも称され、中間部材４２は、上ケース等とも称され、蓋部材４３は、トップカバー等とも称される。
【００５０】
中間部材４２は、端壁部１１ｂ，１１ｃの一部と、側壁部１１ｄ，１１ｅの一部と、中間壁部１１ｇと、を有している。中間部材４２は、収容部材４１の開口部４１ｆを覆っている。中間壁部１１ｇは、ｚ方向での端壁部１１ｂ，１１ｃおよび側壁部１１ｄ，１１ｅのそれぞれの中間部に接続されている。また、中間部材４２には、収容室１１ｉの一部と、収容室１１ｋとが、設けられている。収容室１１ｋは、中間部材４２に設けられた開口部４２ｆによって構成されている。開口部４２ｆは、収容室１１ｉとは反対側に設けられて、ｘ方向に開口している。蓋部材４３は、開口部４２ｆ（収容室１１ｋ）を覆っている。開口部４２ｆは、第二の開口部の一例である。
【００５１】
収容部材４１と中間部材４２とは、不図示の引掛部によって機械的に結合され、中間部材４２と蓋部材４３とは、不図示の引掛部によって機械的に結合されている。すなわち、収容部材４１と蓋部材４３とは、中間部材４２を介して結合されている。収容室１１ｉは、収容部材４１および中間部材４２に囲まれ、収容室１１ｋは、中間部材４２と蓋部材４３とに囲まれている。
【００５２】
また、図１５〜１９に示されるように、本実施形態では、導電部材１３および回路基板１７は、開口部４２ｆ（収容室１１ｋ）に収容されて、中間壁部１１ｇと天壁部１１ｆとの間に位置されている。また、電池セル１２の電極端子２２は、中間壁部１１ｇに設けられた開口部１１ｇｅに入れられた状態で、開口部４２ｆ（収容室１１ｋ）内に突出している。すなわち、電極端子２２の端面２２ａは、開口部４２ｆ（収容室１１ｋ）に位置されている。
【００５３】
また、図１７，１８に示されるように、回路基板１７は、中間部材４２に支持されている。詳細には、中間部材４２の中間壁部１１ｇの上面には、支持部１１ｇａが設けられている。支持部１１ｇａは、中間壁部１１ｇの上面から天壁部１１ｆに向けて延びた延出部１１ｇｂと、延出部１１ｇｂの先端部に設けられた爪部１１ｇｃと、を有している。爪部１１ｇｃは、回路基板１７に設けられた開口部１７ｃ（貫通孔）を貫通した状態で、回路基板１７の実装面１７ａを支持している。支持部１１ｇａは、爪部１１ｇｃと延出部１１ｇｂとによって回路基板１７を挟んだ状態で、回路基板１７を支持している。すなわち、支持部１１ｇａは、回路基板１７を中間壁部１１ｇに結合している。中間部材４２への回路基板１７の取り付けの際には、爪部１１ｇｃが、弾性変形しながら回路基板１７の開口部１７ｃに挿通される。
【００５４】
また、図１５，１６，１９に示されるように、回路基板１７には、複数の嵌合部１７ｄが設けられている。これらの嵌合部１７ｄは、図１１等に示された第３の実施形態の嵌合部１７ｄと同様である。すなわち、嵌合部１７ｄは、ベース部１７ｄａと、一対の弾性部１７ｄｂと、一対の接続部１７ｄｃと、を有している。嵌合部１７ｄは、電子部品４５と電気的に接続されている。嵌合部１７ｄは、回路基板１７に設けられた導電部の一例である。
【００５５】
また、図１５，２０に示されるように、本実施形態の導電部材１３は、図１３等に示された第３の実施形態の導電部材１３と同様の構成である。すなわち、導電部材１３は、ベース部１３ａと、延出部３１３ｂと、を有している。ベース部１３ａは、端子接続部の一例であり、延出部３１３ｂは、接触部の一例である。
【００５６】
図２０に示されるように、導電部材１３は、第３の実施形態と同様に、回路基板１７の嵌合部１７ｄに嵌められている（入れられている）。そして、弾性部１７ｄｂの弾性力によって、嵌合部１７ｄと延出部３１３ｂとの嵌め合い状態が維持され、嵌合部１７ｄと延出部３１３ｂとの電気的な接続が維持される。
【００５７】
また、本実施形態では、第３の実施形態と同様に、導電部材１３と電子部品４５とは、嵌合部１７ｄを介して電気的に接続されている。
【００５８】
以上のように、本実施形態の組電池４０１の筐体１１は、ｘ方向（第一の方向）に開口し複数の電池セルを収容した開口部４１ｆ（第一の開口部）、が設けられた収容部材４１と、ｘ方向に開口し導電部材１３を収容した開口部４２ｆ（第二の開口部）が設けられ、開口部４１ｆを覆った状態で収容部材４１と結合された中間部材４２（第一の覆部材）と、開口部４２ｆを覆った状態で中間部材４２と結合された蓋部材４３（第二の覆部材）と、を有している。そして、回路基板１７は、中間部材４２（第一の覆部材）に支持されている。
【００５９】
上記構成の組電池４０１では、導電部材１３と電子部品４５とが、嵌合部１７ｄを介して電気的に接続される。よって、比較的容易に、導電部材１３と電子部品４５とを接続させることができる。
【００６０】
＜第５の実施形態＞
図２１〜２５に示される本実施形態の組電池５０１は、第１の実施形態の組電池１と同様の構成を備えている。よって、本実施形態によっても、第１の実施形態と同様の構成に基づく同様の結果（効果）が得られる。ただし、本実施形態では、回路基板１７と、導電部材１３とが、第１の実施形態と主に異なる。なお、図２１〜２５では、筐体１１の図示が省略されているが、本実施形態の筐体１１は、第１の実施形態の筐体１１または第４の実施形態の筐体１１と同様の構成である。
【００６１】
図２１〜２４に示されるように、本実施形態では、複数の電池セル１２に対して一つの回路基板１７が設けられている。また、本実施形態では、回路基板１７には、複数の開口部１７ｆ（貫通孔）が設けられている。開口部１７ｆは、回路基板１７の板厚方向に回路基板１７を貫通している。
【００６２】
また、図２３，２５に示されるように、電池セル１２の電極端子２２は、回路基板１７の開口部１７ｆに入れられた状態で、回路基板１７の実装面１７ａに対して外側に突出している。
【００６３】
また、図２４，２５に示されるように、導電部材１３は、回路基板１７の実装面１７ａ側に面している。導電部材１３は、ベース部１３ａと、一対の延出部５１３ｂと、を有している。ベース部１３ａは、端子群２５中でｘ方向に隣り合う二つの電極端子２２と接続され、当該二つの電極端子２２を電気的に接続している。ベース部１３ａは、例えば、電極端子２２と溶接されている。ベース部１３ａは、端子接続部の一例である。
【００６４】
延出部５１３ｂは、ベース部１３ａから、回路基板１７の配線パターン６０に向けて延びている。一例として、二つの延出部５１３ｂの間に、配線パターン６０上の電子部品４５が位置している。配線パターン６０は、導電部の一例である。
【００６５】
延出部５１３ｂは、弾性部５１３ｂａと、接触部５１３ｂｂと、を有している。弾性部５１３ｂａは、ベース部１３ａから配線パターン６０に延び、接触部５１３ｂｂは、弾性部５１３ｂａのベース部１３ａとは反対側の端部（先端部）に設けられている。弾性部５１３ｂａは、弾性力によって接触部５１３ｂｂを配線パターン６０に押し付けている。弾性部５１３ｂａは、板ばねとして機能している。
【００６６】
以上のように、本実施形態の導電部材１３は、複数の電池セル１２の電極端子２２を電気的に接続したベース部１３ａ（端子接続部）と、配線パターン６０（導電部）と接触した接触部５１３ｂｂと、を有している。そして、弾性部５１３ｂａは、弾性力によって接触部５１３ｂｂと配線パターン６０（導電部）との一方（一例として、接触部５１３ｂｂ）を他方（一例として、配線パターン６０）に押し付けている。よって、本実施形態によれば、例えば、導電部材１３と配線パターン６０とを、溶接したりねじ止めしたりする必要がないので、比較的容易に導電部材１３を他部材としての配線パターン６０に接続することができる。
【００６７】
また、本実施形態では、導電部材１３は、ベース部１３ａ（端子接続部）から配線パターン６０（導電部）に向けて延びた延出部５１３ｂを有し、接触部５１３ｂｂと弾性部５１３ｂａとは、延出部５１３ｂに含まれている。よって、接触部５１３ｂｂと弾性部５１３ｂａとが別部材として構成された場合に比べて、組電池５０１を簡素な構成にすることができる。
【００６８】
＜第６の実施形態＞
図２６〜２９に示される本実施形態の組電池６０１は、第５の実施形態の組電池５０１と同様の構成を備えている。よって、本実施形態によっても、第５の実施形態と同様の構成に基づく同様の結果（効果）が得られる。ただし、本実施形態では、回路基板１７と、導電部材１３とが、第５の実施形態と主に異なる。なお、図２６〜２９では、筐体１１の図示が省略されているが、本実施形態の筐体１１は、第１の実施形態の筐体１１または第４の実施形態の筐体１１と同様の構成である。
【００６９】
図２６〜２９に示されるように、本実施形態では、回路基板１７に嵌合部６５が設けられている。嵌合部６５は、導電性を有した材料によって構成されている。嵌合部６５は、配線パターン６０上に設けられ、配線パターン６０と電気的に接続されている。嵌合部６５は、配線パターン６０を介して、電子部品４５と電気的に接続されている。嵌合部６５は、例えば、配線パターン６０に半田等によって結合されている。嵌合部６５は、導電部の一例である。
【００７０】
図２９に示されるように、詳細には、嵌合部６５は、ベース部６５ａと、一対の弾性部６５ｂと、を有している。ベース部６５ａは、平板状に形成され、配線パターン６０と重ねられている。一対の弾性部６５ｂは、ｙ方向に互いに間隔を空けて、ベース部６５ａからｚ方向に延びている。弾性部６５ｂは、板ばねとして機能する。
【００７１】
また、図２６，２９に示されるように、導電部材１３は、ベース部１３ａと、一対の延出部６１３ｂと、を有している。ベース部１３ａは、端子群２５中でｘ方向に隣り合う二つの電極端子２２と接続され、当該二つの電極端子２２を電気的に接続している。ベース部１３ａは、例えば、電極端子２２と溶接されている。ベース部１３ａは、端子接続部の一例である。
【００７２】
延出部６１３ｂは、ベース部１３ａから、回路基板１７の嵌合部６５に向けて延びている。一例として、二つの延出部６１３ｂの間に、配線パターン６０上の電子部品４５が位置している。配線パターン６０は、導電部の一例である。
【００７３】
延出部６１３ｂは、板部６１３ｂａと、接触部６１３ｂｂと、を有している。板部６１３ｂａは、ベース部１３ａから実装面１７ａと略平行に延び、接触部６１３ｂｂは、板部６１３ｂａのベース部１３ａとは反対側の端部（先端部）に設けられている。
【００７４】
接触部６１３ｂｂは、ｚ方向に沿って延びた板状に形成されている。接触部６１３ｂｂは、板部６１３ｂａから、ｚ方向の反対方向に延びて嵌合部６５に嵌められている（入れられている）。接触部６１３ｂｂは、嵌合部６５の一対の弾性部６５ｂに接触した状態で、一対の弾性部６５ｂに挟まれている。弾性部６５ｂは、当該弾性部６５ｂの弾性力によって、当該弾性部６５ｂを接触部６１３ｂｂに押し付けている。弾性部６５ｂは、ｘ方向（第一の方向）と交差する方向（ｘｙ平面に沿った方向）に、弾性部６５ｂを接触部６１３ｂｂに押し付けている。各弾性部６５ｂは、板ばねとして機能する。弾性部６５ｂの弾性力によって、嵌合部６５と接触部６１３ｂｂとの嵌め合い状態が維持され、嵌合部６５と接触部６１３ｂｂとの電気的な接続が維持される。
【００７５】
本実施形態では、導電部材１３と電子部品４５とは、嵌合部６５を介して電気的に接続されている。
【００７６】
以上のように、本実施形態の導電部材１３は、複数の電池セル１２の電極端子２２を電気的に接続したベース部１３ａ（端子接続部）と、嵌合部６５（導電部）と接触した接触部６１３ｂｂと、を有している。そして、弾性部６５ｂは、弾性力によって接触部６１３ｂｂと嵌合部６５（導電部）との一方（一例として、嵌合部６５）を他方（一例として、接触部６１３ｂｂ）に押し付けている。よって、本実施形態によれば、例えば、導電部材１３と嵌合部６５（配線パターン６０）とを、溶接したりねじ止めしたりする必要がないので、比較的容易に導電部材１３を他部材としての嵌合部６５（配線パターン６０）に接続することができる。
【００７７】
また、本実施形態では、接触部６１３ｂｂを挟んだ複数（一例として、二つ）の弾性部６５ｂが設けられている。よって、複数の弾性部６５ｂによって、接触部６１３ｂｂを入れることにより、接触部６１３ｂｂと弾性部６５ｂとを電気的に接続することができる。
【００７８】
＜第７の実施形態＞
図３０〜３３に示される本実施形態の組電池７０１は、第５の実施形態の組電池５０１と同様の構成を備えている。よって、本実施形態によっても、第５の実施形態と同様の構成に基づく同様の結果（効果）が得られる。ただし、本実施形態では、導電部材１３が、第５の実施形態と主に異なる。
【００７９】
本実施形態では、導電部材１３と電池セル１２の電極端子２２とは、嵌め合わされている。詳細には、導電部材１３は、ベース部７１３ａと、一対の延出部５１３ｂと、を有している。ベース部７１３ａは、一対の嵌合部７１３ａａと、一対の嵌合部７１３ａａを接続した接続部７１３ａｂと、を有している。一対の嵌合部７１３ａａは、端子群２５中でｘ方向に隣り合う二つの電極端子２２と嵌め合わされている。嵌合部７１３ａａは、電極端子２２の側面（周面）と接触した複数の接触部７１３ａｃを有している。複数の接触部７１３ａｃは、電極端子２２の端部（先端部）を挟んだ状態で支持している。すなわち、各接触部７１３ａｃは、ばねとして機能する。ベース部７１３ａは、二つの電極端子２２を電気的に接続している。ベース部７１３ａは、端子接続部の一例である。延出部５１３ｂは、第５の実施形態と同様の構成である。
【００８０】
以上のように、本実施形態では、導電部材１３と電池セル１２の電極端子２２とは、嵌め合わされている。よって、本実施形態によれば、例えば、導電部材１３と電極端子２２とを、溶接したりねじ止めしたりする必要がないので、比較的容易に導電部材１３を他部材としての電極端子２２に接続することができる。
【００８１】
＜第８の実施形態＞
図３４〜３７に示される本実施形態の組電池８０１は、第３の実施形態の組電池３０１と同様の構成を備えている。よって、本実施形態によっても、第３の実施形態と同様の構成に基づく同様の結果（効果）が得られる。ただし、本実施形態では、導電部材１３および回路基板１７が、第３の実施形態と主に異なる。なお、図３４〜３７では、筐体１１の図示が省略されている。
【００８２】
図３４〜３６に示されるように、本実施形態では、複数の電池セル１２に、一つの回路基板１７が設けられている。回路基板１７は、複数の電池セル１２の電極端子２２を覆っている。また、本実施形態では、回路基板１７には、嵌合部１７ｄ（図１１参照）は設けられていない。また、回路基板１７は、実装面１７ａが電極端子２２に向いた姿勢で、筐体１１（図７参照）に支持されている。
【００８３】
本実施形態の導電部材１３は、回路基板１７と電池セル１２との間に配置されている。図３６，３７に示されるように、導電部材１３は、板部８１３ｍを有している。板部８１３ｍは、二つの壁部８１３ａや、二つの壁部８１３ｂ、一つの壁部８１３ｃ、二箇所の曲部８１３ｄ、二箇所の曲部８１３ｅ等を有する。具体的に、板部８１３ｍ（導電部材１３）は、一枚の板状（帯状、短冊状）の部材が、四箇所（二箇所の曲部８１３ｄおよび二箇所の曲部８１３ｅ）で屈曲されてハット型（クランク状）に構成されている。
【００８４】
壁部８１３ａ，８１３ｂ，８１３ｃは、それぞれ四角形状の板状（帯状）に構成されている。二つの壁部８１３ａ（第一の接続部、横壁部、底壁部）は、それぞれ、電極端子２２の端面２２ａに面して、端面２２ａと電気的に接続されている。壁部８１３ａは、例えば、端面２２ａと溶接等によって結合されている。壁部８１３ｂ（立壁部、側壁部）は、それぞれ壁部８１３ａに曲部８１３ｄを介して接続されている。壁部８１３ｂは、端面２２ａと交差する方向（直交する方向、ｚ方向）に延びている（起立している）。壁部８１３ｃは、二つの壁部８１３ａと離れた位置で、二つの壁部８１３ｂ間に亘って設けられている。壁部８１３ｃは、二箇所の曲部８１３ｅを介して、二つの壁部８１３ｂに接続されている。壁部８１３ｃは、壁部８１３ａと略平行に設けられている。壁部８１３ｃは、実装面１７ａの配線パターン６０と接触している。壁部８１３ａは、第一の部分の一例であり、壁部８１３ｃは、接触部の一例であり、配線パターン６０は、導電部の一例である。
【００８５】
また、導電部材１３のうち二つの壁部８１３ａの間に介在した壁部８１３ｂ，８１３ｃおよび曲部８１３ｄ，８１３ｅは、弾性変形可能な凸部８１３ｆ（弾性部）を構成している。このような構成の導電部材１３に、二つの壁部８１３ａ同士が離間する方向の外力や、二つの壁部８１３ａ同士が近接する方向の外力が作用すると、凸部８１３ｆが弾性変形する。凸部８１３ｆの変形によって、二つの壁部８１３ａ間の間隔が調整される。凸部８１３ｆは、第二の部分の一例である。
【００８６】
導電部材１３は、一対の電極端子２２と、回路基板１７とに挟まれており、凸部８１３ｆが弾性変形している。例えば、凸部８１３ｆは、二つの壁部８１３ｂが離間する方向に開き変形（座屈変形）している。このような、凸部８１３ｆは、壁部８１３ｃを配線パターン６０に押し付けている。また、このとき、壁部８１３ａも弾性変形して、壁部８１３ｃを配線パターン６０に押し付けている。すなわち、本実施形態では、壁部８１３ａ，８１３ｂが、板ばねとして機能している。これらの壁部８１３ａ，８１３ｂの弾性力によって、壁部８１３ｃと配線パターン６０との接触状態が維持され、導電部材１３と配線パターン６０との電気的な接続が維持される。壁部８１３ａ，８１３ｂは、弾性部の一例である。
【００８７】
以上のように、本実施形態では、導電部材１３は、互いに離れて位置され電極端子２２と電気的に接続された二つの壁部８１３ａ（第一の部分）と、二つの壁部８１３ａの間に介在し配線パターン６０（導電部）に向けて突出した凸部８１３ｆ（第二の部分）と、を有している。壁部８１３ｃ（接触部）と壁部８１３ｂ（弾性部）とは、凸部８１３ｆに含まれている。よって、本実施形態によれば、例えば、導電部材１３に、二つの壁部８１３ａ同士が離間する方向の外力や、二つの壁部８１３ａ同士が近接する方向の外力が作用すると、凸部８１３ｆが弾性変形するので、応力集中が大きくなるのが抑制される。
【００８８】
＜第９の実施形態＞
図３８〜４１に示される本実施形態の組電池９０１は、第５の実施形態の組電池５０１と同様の構成を備えている。よって、本実施形態によっても、第５の実施形態と同様の構成に基づく同様の結果（効果）が得られる。ただし、本実施形態では、導電部材１３が、第５の実施形態と主に異なる。なお、図３８〜４１では、筐体１１の図示が省略されている。
【００８９】
図３８〜４１に示されるように、本実施形態の導電部材１３は、第８の実施形態（図３７参照）の導電部材１３と同様の構成である。すなわち、本実施形態の導電部材１３は、
板部８１３ｍ（壁部８１３ａ、壁部８１３ｂ、壁部８１３ｃ、曲部８１３ｄ、曲部８１３ｅ、凸部８１３ｆ）等を有している。ただし、本実施形態では、導電部材１３は、凸部８１３ｆが電池セル１２の蓋体２１ｂ（ｚ方向の反対方向）に向く姿勢で、配置されている。凸部８１３ｆは、弾性変形している。例えば、凸部８１３ｆは、二つの壁部８１３ｂが離間する方向に開き変形（座屈変形）している。このような、凸部８１３ｆは、壁部８１３ｃを配線パターン６０に押し付けている。また、このとき、壁部８１３ａも弾性変形して、壁部８１３ｃを配線パターン６０に押し付けている。すなわち、本実施形態では、壁部８１３ａ，８１３ｂが、板ばねとして機能している。これらの壁部８１３ａ，８１３ｂの弾性力によって、壁部８１３ｃと配線パターン６０との接触状態が維持され、導電部材１３と配線パターン６０との電気的な接続が維持される。壁部８１３ａ，８１３ｂは、弾性部の一例である。
【００９０】
なお、上記の複数の実施形態は、可能な範囲で任意に組み合わせて実施されてもよい。
【００９１】
以上のように、上記の各実施形態によれば、比較的容易に導電部材１３を他部材に接続することができる。
【００９２】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００９３】
１，２０１，３０１，４０１，５０１，６０１，７０１，８０１，９０１…組電池、１１…筐体、１１ｉ…収容室（第一の収容室）、１１ｋ…収容室（第二の収容室）、１２…電池セル、１３…導電部材、１３ａ…ベース部（端子接続部）、１３ｃ…弾性部（接触部）、１７…回路基板、１７ｄ…嵌合部（導電部）、２２…電極端子、４１…収容部材、４１ｆ…開口部（第一の開口部）、４２…中間部材（第一の覆部材）、４２ｆ…開口部（第二の開口部）、４３…蓋部材（第一の覆部材、第二の覆部材）、５０…電池ユニット部、６０…配線パターン（導電部）、６５…嵌合部（導電部）、３１３ｂ…延出部（接触部）、８１３ａ…壁部（第一の部分、弾性部）、８１３ｂ…壁部（弾性部）、８１３ｃ…壁部（接触部）、８１３ｆ…凸部（第二の部分）。
【図１】
2018026215.tif 000003
【図２】
2018026215.tif 000004
【図３】
2018026215.tif 000005
【図４】
2018026215.tif 000006
【図５】
2018026215.tif 000007
【図６】
2018026215.tif 000008
【図７】
2018026215.tif 000009
【図８】
2018026215.tif 000010
【図９】
2018026215.tif 000011
【図１０】
2018026215.tif 000012
【図１１】
2018026215.tif 000013
【図１２】
2018026215.tif 000014
【図１３】
2018026215.tif 000015
【図１４】
2018026215.tif 000016
【図１５】
2018026215.tif 000017
【図１６】
2018026215.tif 000018
【図１７】
2018026215.tif 000019
【図１８】
2018026215.tif 000020
【図１９】
2018026215.tif 000021
【図２０】
2018026215.tif 000022
【図２１】
2018026215.tif 000023
【図２２】
2018026215.tif 000024
【図２３】
2018026215.tif 000025
【図２４】
2018026215.tif 000026
【図２５】
2018026215.tif 000027
【図２６】
2018026215.tif 000028
【図２７】
2018026215.tif 000029
【図２８】
2018026215.tif 000030
【図２９】
2018026215.tif 000031
【図３０】
2018026215.tif 000032
【図３１】
2018026215.tif 000033
【図３２】
2018026215.tif 000034
【図３３】
2018026215.tif 000035
【図３４】
2018026215.tif 000036
【図３５】
2018026215.tif 000037
【図３６】
2018026215.tif 000038
【図３７】
2018026215.tif 000039
【図３８】
2018026215.tif 000040
【図３９】
2018026215.tif 000041
【図４０】
2018026215.tif 000042
【図４１】
2018026215.tif 000043